(57)【特許請求の範囲】
【請求項１】
脱毛用の爪を軸方向に複数枚並設した駆動可能な回転体又は回動体と、相対向する爪間に進入した毛を周期的に挟む開閉手段とを備えた脱毛装置において、毛を挟むための爪を円周方向で２段以上設けると共に、肌上における爪によって掴まれる位置が爪の進行方向にずれるように各段における爪の開閉タイミングを設定して成ることを特徴とする脱毛装置。
【請求項２】
円周方向に２段以上設けた各段の爪が、円周方向に接近して配置されていることを特徴とする請求項１記載の脱毛装置。
【請求項３】
円周方向に２段以上設けた各段の爪の開閉タイミングが同期していることを特徴とする請求項１記載の脱毛装置。
【請求項４】
１回の開閉で前後各段の爪の開閉方向が逆方向に動作するように設定して成ることを特徴とする請求項１記載の脱毛装置。
【請求項５】
軸方向において可動爪のみを複数枚並設して軸方向において隣合う可動爪により毛を挟むようにしたものを前後２段に配置し、前後２段以上の可動爪は前後方向に２段以上になった同列の可動爪の開閉の向きが逆方向となり且つ軸方向において隣合う可動爪同士の開閉の向きが逆方向となっていることを特徴とする請求項１記載の脱毛装置。
【発明の詳細な説明】
【０００１】
【発明の属する技術分野】
本発明は美容などの目的のための脱毛を行う脱毛装置に関するものである。
【０００２】
【従来の技術】
この種の脱毛装置としては、特願平３ー１５２７８７号に示されるように、脱毛用の爪を軸方向に複数枚並設支持して爪を回動駆動する回動体を設け、毛を挟持するために相対する爪を軸方向に揺動させて爪先端部を開閉させるようにしたものがある。そして、上記従来例においては、爪の挟持は一つ置きに一回の回動体の回動毎に交互に行うようにしており、このようにしたものは毛を効率良く引き抜くのに効果がある。
【０００３】
【発明が解決しようとする課題】
しかし、上記従来例では、毛を挟むための爪を円周方向に１段しか設けてないので、前後方向において脱毛される範囲が狭く、脱毛速度が遅くなるという問題があり、また、上記従来例にあっては、毛を挟持するための１回の開閉動作に対し、一方の固定爪側では毛を挟持しないため、毛の抜き残しがあった。特に、短い毛は根元を掴みにくく、抜き残しが発生する場合があった。
【０００４】
本発明は、上記の従来例の問題点に鑑みて発明したものであって、脱毛される範囲を広くすることを主たる課題とし、また、肌の近接した異なる位置で前後の爪で効果的に脱毛ができるようにすることを別の課題とし、また、構造を簡単にすることを別の課題とし、更に、１回の爪の開閉動作で毛を抜き残しなく確実に脱毛できるようにすると共に、短い毛を確実に脱毛できることを別の課題とし、更に、固定爪を用いることなく可動爪のみで、毛を抜き残しなく且つ短い毛でも確実に効率良く脱毛できるようにすることを更に別の課題とするものである。
【０００５】
【課題を解決するための手段】
上記した本発明の課題を達成するために、本発明の脱毛装置は、脱毛用の爪を軸方向に複数枚並設した駆動可能な回転体又は回動体と、相対向する爪間に進入した毛を周期的に挟む開閉手段とを備えた脱毛装置において、毛を挟むための爪を円周方向で２段以上設けると共に、肌上における爪によって掴まれる位置が爪の進行方向にずれるように各段における爪の開閉タイミングを設定して成ることを特徴とするものである。このような構成とすることで、各段の爪が閉じる位置が肌に対して前後方向にずれることになり、脱毛される範囲が広くなるため、爪の肌に対する当て方に左右されないことになる。
【０００６】
また、円周方向に２段以上設けた各段の爪が、円周方向に接近して配置されていることも好ましい。このような構成とすることで、肌の接近した異なる位置で脱毛できることになる。
また、円周方向に２段以上設けた各段の爪の開閉タイミングが同期していることをが好ましい。このような構成とすることで、肌上における爪によって掴まれる位置が爪の進行方向にずれるように各段における爪の開閉タイミングを設定するに当たって、一つの開閉手段でできることになる。
【０００７】
また、１回の開閉で前後各段の爪の開閉方向が逆方向に動作するように設定して成ることも好ましい。このような構成とすることで、前の爪で掴み損ねた毛を後ろで確実に掴むことができるものである。
また、軸方向において可動爪のみを複数枚並設して軸方向において隣合う可動爪により毛を挟むようにしたものを前後２段以上に配置し、前後２段以上の可動爪は前後方向に２段以上になった同列の可動爪の開閉の向きが逆方向となり且つ軸方向において隣合う可動爪同士の開閉の向きが逆方向となっていることも好ましい。このような構成とすることで、短毛でも効率良く根元から脱毛できることになる。
【０００８】
【発明の実施の形態】
以下本発明を図示の実施例に基づいて詳述すると、この脱毛装置は、図１に示すように、本体１内に配した駆動ユニット６の上端部に脱毛爪３と肌引き伸ばし部材５とを設けるとともに、本体１上端のサブハウジング１７の上面開口に上記脱毛爪３と肌引き伸ばし部材５とを臨ませたもので、本体１は前後二つ割りで形成されたハウジング１０と、ハウジング１０の上端面に配された上面板１６と、この上面板１６上に着脱自在に配された枠状のサブハウジング１７から構成され、下端に電源ジャック１４を、側面にスイッチ１５を備えている。図中１００はキャップ、１０１は給電アダプターである。
【０００９】
本体１内に配される駆動ユニット６は、本体１に対して上下動自在に組み込まれるとともにばね１８によって上方へばね付勢されることでフローティング支持されたものであって、図２及び図７に示すように、メインフレーム６１と、フレーム６１の両サイドに固着される一対のサイドカバー６２，６２によって構成されているフレーム６０を具備しており、本体１には支持アーム９を介して取り付けられている。
【００１０】
この支持アーム９は、図７に示すように、平面形状がコ字形となっているもので、中央部に設けた孔９０をハウジング１０の内面に設けた突起９９，９９に係合させることでハウジング１０に取り付けられる。そして支持アーム９の両側片は、図３から明らかなように、夫々上下一対の薄肉の弾性片９１，９１で形成されており、両弾性片９１，９１の先端間をつないでいる部分に、駆動ユニット６の重心位置の両側面に形成された突起６３と係合する係合孔９３を備えている。弾性片９１の撓みにより、本体１に対して駆動ユニット６が上下動自在とされているわけであり、更に駆動ユニット６の下端面と本体１の内底面との間に配されたばね１８により、上方に付勢されているものである。図中６８は駆動ユニット６のフレーム６０の外周面に設けられたフランジ６４の下面と、ハウジング１０の内面に設けられた内フランジ６９との間に配されて本体１内への毛屑の侵入を防いでいる防塵パッキンである。
【００１１】
このようにフローティング支持された駆動ユニット６のフレーム６０の下部にはモータ１１が納められ、上端部には脱毛爪３を備えた脱毛ブロック２が配設され、上下方向中央部には脱毛爪３の駆動のための確動カム７が納められ、更にフレーム６０の一側には脱毛ブロック２を往復回動させるための駆動手段が納められている。
【００１２】
上記確動カム７は、脱毛ブロック２における脱毛爪３を駆動するためのもので、一対のカム溝７２，７２が外周面に形成されている回転軸７０と、上記カム溝７２，７２内を夫々摺動する舟型のころ７６を備えた一対のカムフォロア７５，７５とからなるもので、上記回転軸７０の一端に固着されたギア７１が、フレーム６０によって支持されている中間ギア１３を介してモータ１１の出力軸に設けられたピニオン１２にかみ合っている。ここにおける回転軸７０は軸受７９，７９によってフレーム６０に回転自在に且つ軸方向に動き得る状態で支持されたもので、その一端面はフレーム６０に設けた球体７８に微小間隙を介して対向している。また、上記一対のカム溝７２，７２は、共にたすき状に形成されるとともに回転軸７０の軸方向に間隔をおいた状態で形成されており、一対のカムフォロア７５，７５の各ころ７６，７６は、カム溝７２，７２における交差部分に位置している時を除き、回転軸７０の軸方向において相反するところに位置するようにされている。また回転軸７０は上述のように軸方向に動き得るとはいえ、一対のカムフォロア７５，７５による位置規制を受けるために、その軸方向位置が不安定となることはない。
【００１３】
上記の一対のカムフォロア７５，７５は、図５に示すように、フレーム６０から立設した軸６７，６７の回りに夫々回転自在となっているもので、各ころ７６は軸６７から偏心した位置の下面側に設けられている。また、各カムフォロア７５における軸６７を挟んでころ７６と反対側の位置の上面には、脱毛爪３の駆動用の駆動ころ７７が設けられている。図７中の１６０はサブハウジング係止用フック、６５はメインフレーム６０の中央部上面に配される上蓋、６６は防塵板であり、各カムフォロア７５，７５の軸６７と同心の円柱部が上蓋６５と防塵板６６とを上下に貫通している。
【００１４】
フレーム６０の上端部には後述の脱毛ブロック２が配置され、脱毛ブロック２の回動体２３に軸方向に複数並設した脱毛用の爪がサブハウジング１７の開口内に位置している。また、サブハウジング１７の開口内には肌引き伸ばし部材５が配置される。
次に本実施例における肌引き伸ばし部材５について説明する。ここにおける肌引き伸ばし部材５は、サブハウジング１７の開口内に位置するとともに上記駆動ユニット６の上端部において図３中の矢印方向の揺動が自在となるように支持された肌当て用枠５２の表面に弾性材からなる凸部を設けることで形成されている。
【００１５】
上記肌当て用枠５２は、図８に示すように、両側外面に突起５７，５７を有するとともに、両側内面で且つ前後方向の中央のところに支持リブ５３，５３を備え、更に両側の前後内面に弾性片５７，５７が垂下形成されたもので、図７に示すように、駆動ユニット６におけるフレーム６０の外側面の上端部に形成された上方に開口するとともに上方ほど幅が広くなっている受け溝６８によって上記支持リブ５３が受けられることで、上記の揺動が自在とされる。また、左右２対の弾性片５４，５４が、フレーム６０の両側部の前後面に接することから、これら弾性片５４による弾性で肌当て用枠５２はその揺動できる角度内のほぼ中央位置に保持されるとともに、いずれの方向に揺動させたとしても、上記位置に復帰するようになっている。従って、肌当て用枠５２を肌に押し付ければ、肌当て用枠５２は駆動ユニット６と共に浮き沈みを行うとともに、肌との当たり角度に合わせて揺動するために、肌当て用枠５２の上面全面が肌に接した状態が保持される。
【００１６】
尚、肌当て用枠５２における上記突起５７，５７が、サブハウジング１７の内面に設けられた上下方向に長く且つ幅が突起５７よりもかなり広い係合溝１７０に係合していることから、肌当て用枠５２はサブハウジング１７に対して上下に可動であるとともに前後揺動が自在となっているものの、サブハウジング１７を取り外す時、サブハウジング１７と共に取り外されてしまうものであり、脱毛ブロック２を簡単に露出させることができて、毛屑の掃除が容易となっている。
【００１７】
そして肌当て用枠５２の脱毛ブロック２が覗いている中央開口を囲んでいる上面の左右両側と、この脱毛装置を用いて脱毛を行う際に脱毛装置を動かす方向の前方となる部分に、上述のように弾性材からなる凸部である肌引き伸ばし部材５を夫々設けてある。進行方向の前方に位置する肌引き伸ばし部材５は、上記進行方向前方側に向けて細くなる略三角形状となっているとともに、進行方向前方側が低くなる傾斜をもつものとなっている。また左右両側に位置する一対の肌引き伸ばし部材５，５は、図６に示すように、上記進行方向前方側が内側に寄っている対称な円弧状に形成されているとともに、進行方向前方側が低くなる傾斜をもつものとなっている。弾性材からなるこれら肌引き伸ばし部材５は、肌当て用枠５２に複数個の孔を明けておくとともに、これらの孔を利用して肌当て用枠５２の表裏に弾性材を一体成形することで取り付けを行っているために、肌当て用枠５２から肌引き伸ばし部材５が剥がれ難くなっている。
【００１８】
進行方向前方側に位置する肌引き伸ばし部材５を略三角形状の凸部としているのは、肌当て用枠５２を肌に当接させた状態で脱毛装置を肌に添って進行させる際に肌への引っ掛かりを少なくし、スムーズに進行させることができるようにするためであり、左右両側に位置する一対の肌引き延ばし部材５，５を互いに逆方向に傾くとともに進行方向後方側ほど間隔が広くなるようにしているのは、前述のように、両肌引き延ばし部材５，５に接する肌の２点間の距離を広げて肌を引き伸ばすためである。また、両側の肌引き伸ばし部材５と、前方側に位置する肌引き伸ばし部材５とを結ぶ線が、上記ハウジングを動かす方向に長く且つ該動かす方向に対して傾斜しているとともに脱毛ブロック２との間隔が上記動かす方向において一方向に変化したものとなっていることから、この点においても左右方向の肌の引き伸ばしがなされるとともに前後方向についての肌の引き伸ばしもなされるものである。
【００１９】
更に、ここで示した肌当て用枠５２は、中央開口部の開口縁における進行方向前方側の肌引き伸ばし部材５と脱毛ブロック２との間に位置することになる部分に上記肌引き伸ばし部材５よりも背の低いコーム５５を備えていて、脱毛ブロック２に導かれる毛をコーム５５によって起こすとともに整毛することができるようになっている。また、上記中央開口部の開口縁における進行方向後方側の部分には、小径長尺のローラ５６を軸回りの回転が自在となる状態で取り付けてある。このローラ５６は、弾性体で形成されており、肌当て用枠５２表面を肌に添わせて動かす時に肌に追従して転がることで、肌に添った動きをスムーズなものとする。
【００２０】
次に本発明における脱毛ブロック２について説明すると、フレーム６０上端部に配されている脱毛ブロック２は、図８〜図１１に示すように、軸２６によってフレーム６０の両側上端部間に回動自在に架設されている回動体２３に、脱毛爪３と、上記カムフォロア７５，７５の動きを受けて脱毛爪３を動かす一対のスライダー２８，２８とを設けたもので、一端にギア２７が設けられている回動体２３の下部側に位置している両スライダー２８，２８は、回動体２３の両端間に架設された軸２９，２９によって回動体２３に対し、上記軸２６と平行な方向にスライド自在とされている。
【００２１】
脱毛ブロック２における開閉手段を構成する脱毛爪３は、回動体２３の軸方向に所定の間隔で並んでいる複数枚の固定爪３ａと、各固定爪３ａ間に配されている複数枚の可動爪３ｂとからなるもので、可動爪３ｂは、図１１に示すように、一端の係合突起３７の数と位置とが異なる２種が回動体２３の軸方向において交互に配設されているとともに、両側縁から突出する支持突起３８，３８が回動体２３によって支持されることで、回動体２３に対し、回動体２３の軸方向と直交する方向の軸のまわりに揺動自在とされている。
【００２２】
回動体２３にスライド自在に取り付けられている一対のスライダー２８，２８は、軸方向において相互に重なる部分を備えているとともに上記確動カム７によって相反する方向にスライド駆動されて、一方のスライダー２８が回動体２３の軸方向に並んでいる複数枚の可動爪３ｂうちの１枚おきを同時に揺動させ、他方のスライダー２８が残る可動爪３ｂを同時に逆方向に揺動させるもので、両スライダー２８，２８には可動爪３ｂの係合突起３７が係合する係合溝２８０が上面に設けられている。ただし、図８に示すように、一方のスライダー２８は交互に２列に並ぶ係合溝２８０を、他方のスライダー２８は交互に２列で並ぶ係合溝２８０を一方のスライダー２８の係合溝２８０の両脇に備えたものとなっており、２列に並んでいる複数枚の可動爪３ｂが両スライダー２８，２８に交互に前後で係合している。そして両スライダー２８，２８の下面には、夫々軸２６を中心とする円弧となっている溝２８１が設けられており、各溝２８１に前記カムフォロア７５，７５の各駆動ころ７７が係合している。
【００２３】
また、各固定爪３ａは、図９（ｂ）に示すように、回動体２３の周方向における大きさが、回動体２３の上部の片半部を占める略１／４円の大きさに形成されており、各可動爪３ｂは前記係合突起３７と反対側の端部の上記周方向における大きさが固定爪３ａより小さく形成されており、回動体２３の周方向において、固定爪３ａの一方の側縁がわの部分と重複する位置に可動爪３ｂが配されている。更に回動体２３における上部の残る片半部は切り欠かれて凹所２３０が形成されているとともに、回動体２３の両端間に架設された小径長尺の弾性体からなるローラ２３１がこの凹所２３０の部分に固定爪３ａ及び可動爪３ｂの凹所２３０に臨む一側縁から間隔をおいて配設されている。また、図９（ｂ）から明らかなように、固定爪３ａの外周縁と可動爪３ｂの外周縁及びローラ３１は、軸２６からほぼ等距離のところに位置している。
【００２４】
ここで、駆動ユニット６におけるメインフレーム６１と一方のサイドカバー６２との間に組み込まれる駆動手段は、図４に示すように、確動カム７における回動軸７０の一端面の偏心部に一端が軸８１で連結されているリンク８０と、フレーム６０に軸８４で支持されているギア８３とからなるもので、上記リンク８０の他端はギア８３の偏心部に軸８２で連結されており、ギア８３は脱毛ブロック２における回動体２３に設けられた前記ギア２７にかみ合っている。
【００２５】
今、モータ１１を回動させれば、中間ギア１３を介して回動軸７０が回動するものであり、この回動軸７０の回動で、リンク８０とギア８３とにより、脱毛ブロック２全体が軸２６を中心に所定角度内の往復回動を行う。この回動は、ローラ２３１がサブハウジング１７の上面開口のほぼ中央に位置する状態と、脱毛爪３における可動爪３が同じ位置にくる状態との間でなされるようにしてある。そして上記回動と同時に、確動カム７における一対のカムフォロア７５，７５が夫々軸６７を中心に相反する方向の往復回動を行って、脱毛ブロック２における一対のスライダー２８，２８に相反する方向の往復直線運動を行わせるために、スライダー２８，２８の往復動で往復揺動を行う可動爪３ｂは、一つおきの固定爪３ａの両面に隣合う４つの可動爪３ｂが回動方向に前後で互いに逆方向に同時に接する動作を繰り返す。つまり、本実施形態においては、前後方向の各段の可動爪３ｂの開閉のタイミングが同期させてあり、肌上における爪によって掴まれる位置が爪の進行方向（前後方向）においてずれるように設定してある。
【００２６】
尚、両端の固定爪３ａは、夫々片面のみに可動爪３ａが接することから、他の固定爪３ａよりも肉厚として強度を持たせてある。
ここにおいて、脱毛ブロック２の軸２６を中心とする２回の往復回動の間に、回動方向前後に配設された可動爪３ｂがそれぞれ逆方向に１回の往復動を行うように確動カム７を構成してある。
【００２７】
つまり、脱毛ブロック２の軸２６を中心とする１回の往復回動の間に、可動爪３ｂが一側の固定爪３ａに接している状態から他側の固定爪３ａに接する状態に回動方向の前後で互いに逆方向に移行するようにしてある。また、この可動爪３ｂの上記移行は、脱毛ブロック２の軸２６を中心とする往復回動の両死点のうち、可動爪３ｂがサブハウジングの上面開口に位置している時の死点の時点で大半がなされるとともにこの時点の移行で可動爪３ｂが固定爪３ａに接するようになっており、他方の死点において、接していた固定爪３ａから回動方向の前後に配設された可動爪３ｂがそれぞれわずかに離れる動きがなされるものとなっている。
【００２８】
つまり、ローラ２３１が肌に接している状態から、脱毛ブロック２の軸２６を中心とする一方向回動によって、固定爪３ａと可動爪３ｂとが肌に面する位置に来た時、固定爪３ａと可動爪３ｂとによる毛の挟持がなされ、この挟持がなされた状態のままで脱毛ブロック２の逆方向回動がなされることで毛の引き抜きがなされるとともに、上記ローラ２３１が再度肌に接する状態となった時、挟持していた毛の解放がなされるという動作が繰り返されることになる。
【００２９】
ここで、図１２に示すように進行方向の前方の固定爪３ａと可動爪３ｂとによる毛の挟持で抜き残された毛は、進行方向の後方の可動爪３ｂが前方の可動爪３ｂと逆方向に毛を挟持するため、脱毛ブロック２の一回動で全ての固定爪３ａの両端で脱毛されることになり、抜き残しのない効率の良い脱毛をすることができる。更に、固定爪３ａの板厚と可動爪３ｂの板厚を加えた程度の短い毛が前方の可動爪３ｂの開閉で抜き残されても後方の可動爪３ｂの開閉で毛を挟持するため短い毛でも抜き残しなく効率よく脱毛できることになる。図１２において矢印は回動体２３の動作方向を示している。
【００３０】
また、本発明においては、肌上における爪によって掴まれる位置が爪の進行方向にずれるように各段における爪の開閉タイミングを設定してあるので、脱毛される範囲が広くなるものであり、更に、図１３に示すように、使い方によって器具が前方に傾いて肌面に押し当てられてしまう場合にも、回動方向前方の可動爪３ｂが毛を挟持する。また、図１４に示すように器具が後方に傾いて肌面に押し当てられた場合にも、後方の可動爪３ｂによって毛を挟持する。このように、使い方によって脱毛スピードが悪くなるということも改善できるものである。
【００３１】
なお、図１２、図１３において符号Ｈは毛を示している。また、図１３において符号Ｍは肌面を示している。
図１５には本発明の他の実施形態が示してある。すなわち前述の実施形態においては、軸方向において複数の固定爪３ａを並設し、固定爪３ａ間にそれぞれ進行方向の前後に２段以上に可動爪３ｂを配置し、前後方向に２段以上になった同一列の可動爪３ｂの開閉の向きが前の可動爪３ｂと後の可動爪３ｂとで逆方向に動作するように設定した例を示したが、図１５に示す実施形態においては、固定爪３ａを無くし、可動爪３ｂのみで挟持手段を構成したものである。
【００３２】
すなわち、本実施形態においては、軸方向において可動爪３ｂのみを複数枚並設して軸方向において隣合う可動爪３ｂにより毛を挟むようにしたものを更に前後に２段以上に配置したものである。そして、前後２段以上となった同列の可動爪３ｂの開閉の向き（つまり前後の可動爪３ｂの向き）が逆方向となり且つ軸方向において隣合う可動爪３ｂ同士の開閉の向きが逆方向となっている。
【００３３】
そして、この実施形態においても、前述の実施形態と同様に前後方向の各段の可動爪３ｂの開閉のタイミングを同期させてあって、肌上における可動爪３ｂによって掴まれる位置が前後方向（進行方向）でずれているので、脱毛範囲を広くでき、図１３や図１４と同様に器具を傾けた使い方をしても確実に脱毛でき、また、広い範囲で脱毛できるので脱毛効率が良いものである。しかも、進行方向の前方の隣合う可動爪３ｂによる毛の挟持で抜き残された毛は、前後方向に２段以上になった同列の可動爪３ｂの開閉の向きが逆方向となっているので、脱毛ブロック２の一回動で脱毛ブロック２の全領域で前後逆に開閉する前後の可動爪３ｂによって抜き残しのない効率の良い脱毛をすることができる。また、可動爪３ｂの板厚程度の短い毛が前方の可動爪３ｂの開閉で抜き残されても後方の可動爪３ｂの開閉で毛を挟持するため短い毛でも抜き残しなく効率よく脱毛できることになる。
【００３４】
なお、上記した各実施形態においては、毛を挟むために爪を回動体２３の周方向に２段以上設けると共に、肌上における爪によって掴まれる位置が爪の進行方向（前後方向）でずれるように各段における爪の開閉タイミングを設定するに当たり、前後方向の爪の開閉タイミングを同期させている例で説明したが、前後方向の爪の開閉タイミングを必ずしも完全に同期させる必要はないものであり、要は肌上における爪によって掴まれる位置が爪の進行方向（前後方向）でずれるものであればよい。
【００３５】
また、上記した各実施形態においては、回動体２３に爪を設けた例を示したが、回転体に爪を設けたものであってもよいものである。
【００３６】
【発明の効果】
本発明の請求項１記載の発明にあっては、上述のように、脱毛用の爪を軸方向に複数枚並設した駆動可能な回転体又は回動体と、相対向する爪間に進入した毛を周期的に挟む開閉手段とを備えた脱毛装置において、毛を挟むための爪を円周方向で２段以上設けると共に、肌上における爪によって掴まれる位置が爪の進行方向にずれるように各段における爪の開閉タイミングを設定してあるので、各段の爪が閉じる位置が肌に対して前後方向にずれ、脱毛される範囲が広くなるものであり、このため、爪の肌に対する当てかたに左右されずに確実に脱毛でき、また広い範囲を脱毛できるので脱毛効率が良くなるものである。
【００３７】
また、請求項２記載の発明にあっては、上記請求項１記載の発明の効果に加えて、円周方向に２段以上設けた各段の爪が、円周方向に接近して配置されているので、肌の接近した異なる位置で前後の爪で効果的に脱毛できるものである。
また、請求項３記載の発明にあっては、上記請求項１記載の発明の効果に加えて、円周方向に２段以上設けた各段の爪の開閉タイミングが同期しているので、肌上における爪によって掴まれる位置が爪の進行方向にずれるように各段における爪の開閉タイミングを設定するに当たって、一つの開閉手段ででき、しかも、この単一の開閉手段で各段の爪を直接駆動するだけで達成できて構造が簡単となるものである。
【００３８】
また、請求項４記載の発明にあっては、上記請求項１記載の発明の効果に加えて、１回の開閉で前後各段の爪の開閉方向が逆方向に動作するように設定してあるので、前の爪で掴み損ねた毛を後ろで確実に掴むことができ、また、短い毛であっても根元から確実に脱毛でき、抜き残しがなく、脱毛スピードを早めて脱毛効率を良くすることができるものである。
【００３９】
また、請求項５記載の発明にあっては、上記請求項１記載の発明の効果に加えて、軸方向において可動爪のみを複数枚並設して軸方向において隣合う可動爪により毛を挟むようにしたものを前後２段に配置し、前後２段以上の可動爪は前後方向に２段以上になった同列の可動爪の開閉の向きが逆方向となり且つ軸方向において隣合う可動爪同士の開閉の向きが逆方向となっているので、より短い毛を効率良く根元から脱毛でき、この結果、抜き残しがなく、脱毛スピードが早くなり、よりいっそう脱毛効率を良くすることができるものである。
【図面の簡単な説明】
【図１】本発明の一実施例の斜視図である。
【図２】同上の横断面図である。
【図３】図２におけるＺ−Ｚ線断面図である。
【図４】図２におけるＸ−Ｘ線断面図である。
【図５】図２のＹ−Ｙ線断面図である。
【図６】同上の平面図である。
【図７】同上の本体の分解斜視図である。
【図８】同上の脱毛ブロックの分解斜視図である。
【図９】同上の脱毛ブロックを示すもので、（ａ）は斜視図、（ｂ）は縦断面図である。
【図１０】同上の脱毛ブロックにおける回動体の斜視図である。
【図１１】（ａ）（ｂ）は共に可動爪の斜視図である。
【図１２】（ａ）（ｂ）（ｃ）は動作順序を示す説明図である。
【図１３】前に傾けて使用した場合の説明図である。
【図１４】後に傾けて使用した場合の説明図である。
【図１５】本発明の脱毛ブロックの他の実施形態を示すもので、（ａ）は斜視図、（ｂ）は縦断面図である。
【符号の説明】
２  脱毛ブロック
３  脱毛爪
３ａ  固定爪
３ｂ  可動爪
２３  回動体
【図１】
0003598676.tif 000002
【図２】
0003598676.tif 000003
【図３】
0003598676.tif 000004
【図４】
0003598676.tif 000005
【図５】
0003598676.tif 000006
【図６】
0003598676.tif 000007
【図７】
0003598676.tif 000008
【図８】
0003598676.tif 000009
【図９】
0003598676.tif 000010
【図１０】
0003598676.tif 000011
【図１１】
0003598676.tif 000012
【図１２】
0003598676.tif 000013
【図１３】
0003598676.tif 000014
【図１４】
0003598676.tif 000015
【図１５】
0003598676.tif 000016